(57)【要約】【課題】携帯情報端末装置におけるテキストの表示にＲＳＶＰを適用して、極限られた表示範囲しか持たない携帯情報端末装置でのテキストの読解のパフォーマンスを向上させる。【解決手段】インターネットを介して相互に接続されるサーバ１および携帯電話装置２からなり、サーバ１は、携帯電話装置２に提供するテキストを所定単位ごとに分割するテキスト分割手段１２と、分割後のテキストデータを携帯電話装置２に提供する連文節データ提供手段１３とを備え、携帯電話装置２は、サーバ１から提供された分割後のテキストデータを所定単位ずつ切り替えながら１画面内に順次表示する順次切替表示手段２３とを備える。【選択図】        図１
2004220109.tif 000002
【特許請求の範囲】
【請求項１】
電気通信回線を介して相互に接続されるサーバおよび携帯情報端末装置からなるテキスト高速順次切替表示システムであって、
前記サーバは、前記携帯情報端末装置に提供するテキストを所定単位ごとに分割するテキスト分割手段と、前記分割後のテキストデータを前記携帯情報端末装置に提供する手段とを備え、
前記携帯情報端末装置は、前記サーバから提供された分割後のテキストデータを前記所定単位ずつ切り替えながら１画面内に順次表示する順次切替表示手段とを備えた
テキスト高速順次切替表示システム。
【請求項２】
前記テキスト分割手段は、前記テキストを形態素解析し、さらに構文解析して、前記所定単位に分割するものである請求項１記載のテキスト高速順次切替表示システム。
【請求項３】
前記携帯情報端末装置は、前記表示中の分割後のテキストデータが、前記携帯情報端末装置に提供されるテキスト全体のどの位置に相当するものであるかを示す手段を備えたものである請求項１または２に記載のテキスト高速順次切替表示システム。
【請求項４】
前記携帯情報端末装置は、前記表示中の分割後のテキストデータを、前段の分割後のテキストデータまたは後段の分割後のテキストデータに切り替える手段を備えたものである請求項１から３のいずれかに記載のテキスト高速順次切替表示システム。
【請求項５】
前記携帯情報端末装置は、前記表示中の分割後のテキストデータを、任意の分割後のテキストデータに切り替える手段を備えたものである請求項１から４のいずれかに記載のテキスト高速順次切替表示システム。
【請求項６】
携帯情報端末装置に提供するテキストを所定単位ごとに分割するテキスト分割手段と、前記分割後のテキストデータを前記携帯情報端末装置に提供する手段とを備えるサーバと電気通信回線を介して相互に接続される携帯情報端末装置を、前記サーバから提供された分割後のテキストデータを前記所定単位ずつ切り替えながら１画面内に順次表示する順次切替表示手段として機能させるためのテキスト高速順次切替表示プログラム。
【請求項７】
前記携帯情報端末装置を、前記表示中の分割後のテキストデータが、前記携帯情報端末装置に提供されるテキスト全体のどの位置に相当するものであるかを示す手段として機能させるための請求項６記載のテキスト高速順次切替表示プログラム。
【請求項８】
前記携帯情報端末装置を、前記表示中の分割後のテキストデータを、前段の分割後のテキストデータまたは後段の分割後のテキストデータに切り替える手段として機能させるための請求項６または７に記載のテキスト高速順次切替表示プログラム。
【請求項９】
前記携帯情報端末装置を、前記表示中の分割後のテキストデータを、任意の分割後のテキストデータに切り替える手段として機能させるための請求項６から８のいずれかに記載のテキスト高速順次切替表示プログラム。
【請求項１０】
電気通信回線を介して相互に接続されるサーバおよび携帯情報端末装置の間で行うテキスト高速順次切替表示方法であって、
前記サーバが、前記携帯情報端末装置に提供するテキストを所定単位ごとに分割するステップ、
前記サーバが、前記分割後のテキストデータを前記携帯情報端末装置に提供するステップ、
前記携帯情報端末装置が、前記サーバから提供された分割後のテキストデータを前記所定単位ずつ切り替えながら１画面内に順次表示するステップ
を含むテキスト高速順次切替表示方法。
【請求項１１】
前記サーバが前記テキストを分割するステップは、前記テキストを形態素解析し、さらに構文解析して、前記所定単位に分割することを特徴とする請求項１０記載のテキスト高速順次切替表示方法。
【発明の詳細な説明】
【０００１】
【発明の属する技術分野】
本発明は、携帯情報端末装置にテキストを表示させるテキスト高速順次切替表示システムおよびテキスト高速順次切替表示プログラム並びにテキスト高速順次切替表示方法に関する。
【０００２】
【従来の技術】
近年、既存の紙媒体と同様に、携帯電話装置やＰＤＡ（Ｐｅｒｓｏｎａｌ  Ｄｉｇｉｔａｌ  Ａｓｓｉｓｔａｎｔ）などの携帯情報端末装置でテキストデータをやり取りすることが一般的になっている。この携帯情報端末装置でやり取りされるテキストデータの多くは、改行、字体や文字の大きさ（ポイント）などの情報を含まない単純な文字データのみの情報、いわゆる「べた打ち」のテキストデータである。
【０００３】
ところが、紙媒体と比べて携帯情報端末装置は極限られた表示範囲しか持たないため、一度に表示する文字の量には限界がある。そのため、携帯情報端末装置で電子メールやインターネット上のテキストを読む場合、一般的にそのテキストは、図９に示すように、携帯情報端末装置の表示部３の表示可能文字数ごとに、その文章の内容とは関係なく機械的に折り返されて表示される。
【０００４】
ところで、従来、心理学の分野等において、ＲＳＶＰ（Ｒａｐｉｄ  Ｓｅｒｉａｌ  Ｖｉｓｕａｌ  Ｐｒｅｓｅｎｔａｔｉｏｎ：高速順次切替表示）といわれる文章の表示方法が研究されている（例えば、非特許文献１，２，３，４参照。）。ＲＳＶＰでは、比較的速い速度で、文章が画面上の所定位置に単語ごとに表示される。
【０００５】
【非特許文献１】
グスターヴ・ウークイスト（Ｇｕｓｔａｖ  Ｏｑｕｉｓｔ）、“アダプティブ  ラピッド  シリアル  ビジュアル  プレゼンテーション（Ａｄａｐｔｉｖｅ  Ｒａｐｉｄ  Ｓｅｒｉａｌ  Ｖｉｓｕａｌ  Ｐｒｅｓｅｎｔａｔｉｏｎ）”、［ｏｎｌｉｎｅ］、２００１年１２月、［平成１４年１２月２６日検索］、インターネット＜ＵＲＬ：ｈｔｔｐ：／／ｓｔｐ．ｌｉｎｇ．ｕｕ．ｓｅ／￣ｍａｔｓｄ／ｔｈｅｓｉｓ／ａｒｃｈ／２００１−００９．ｐｄｆ＞
【非特許文献２】
イン・イン・ウォン（Ｙｉｎ  Ｙｉｎ  Ｗｏｎｇ）、“テンポラル  タイポグラフィ：ア  プロポーザル  トゥ  エンリッチ  リトゥン  エクスプレッション（Ｔｅｍｐｏｒａｌ  Ｔｙｐｏｇｒａｐｈｙ：  Ａ  Ｐｒｏｐｏｓａｌ  ｔｏ  Ｅｎｒｉｃｈ  Ｗｒｉｔｔｅｎ  Ｅｘｐｒｅｓｓｉｏｎ）”、［ｏｎｌｉｎｅ］、［平成１４年１２月２６日検索］、インターネット＜ＵＲＬ：ｈｔｔｐ：／／ｗｗｗ．ａｃｍ．ｏｒｇ／ｓｉｇｃｈｉ／ｃｈｉ９６／ｐｒｏｃｅｅｄｉｎｇｓ／ｖｉｄｅｏｓ／Ｗｏｎｇ／ｙｙｗ＿ｔｘｔ．ｈｔｍ＞
【非特許文献３】
石崎  豪、“文字の時間的表現（Ｋｉｎｅｔｉｃ  Ｔｙｐｏｇｒａｐｈｙ）”、［ｏｎｌｉｎｅ］、［平成１４年１２月２５日検索］、インターネット＜ＵＲＬ：ｈｔｔｐ：／／ｗｗｗ．ｎｔｔｉｃｃ．ｏｒ．ｊｐ／Ｃａｌｅｎｄｅｒ／１９９９／＋−／Ｗｏｒｋｓ／ｋｉｎｅｔｉｃ＿ｊ．ｈｔｍｌ＞
【非特許文献４】
村上  基、“ＲＳＶＰにおける眼球運動についての一研究”、［ｏｎｌｉｎｅ］、［平成１４年１２月２５日検索］、インターネット＜ＵＲＬ：ｈｔｔｐ：／／ｗｗｗ．ｓａｈｆ．ｃｃ／ｈｕｍａｎ／ｔｈｅｓｉｓ／２−１１．ｈｔｍ＞
【０００６】
【発明が解決しようとする課題】
前述のように、極限られた表示範囲しか持たない携帯情報端末装置では、テキストはその文章内容とは関係なく折り返されて表示されるため、これを読む際には１文字ずつ目で追いながら読む必要があり、非常に読みづらい。
【０００７】
また、テキストが多量の文字を含むものである場合には、１画面で表示しきれない部分については、画面を上下にスクロールさせて表示させながら読む必要がある。しかし、この方法では長い文章を読む際、紙媒体と比較して速さと理解度の点でパフォーマンスが極めて悪い。
【０００８】
一方、ＲＳＶＰでは、文章は比較的速いスピードで単語ごとに表示されるため、人間は、このように表示された文章を普通の行ごとに表示された文章と同じような速さと理解度で読むことができる。
【０００９】
そこで、本発明においては、携帯情報端末装置におけるテキストの表示にＲＳＶＰを適用して、極限られた表示範囲しか持たない携帯情報端末装置でのテキストの読解のパフォーマンスを向上させることを目的とする。
【００１０】
【課題を解決するための手段】
本発明のテキスト高速順次切替表示システムは、電気通信回線を介して相互に接続されるサーバおよび携帯情報端末装置からなるテキスト高速順次切替表示システムであって、サーバは、携帯情報端末装置に提供するテキストを所定単位ごとに分割するテキスト分割手段と、分割後のテキストデータを携帯情報端末装置に提供する手段とを備え、携帯情報端末装置は、サーバから提供された分割後のテキストデータを所定単位ずつ切り替えながら１画面内に順次表示する順次切替表示手段とを備えたものである。
【００１１】
本発明によれば、サーバにより、携帯情報端末装置に提供するテキストが所定単位ごとに分割され、分割後のテキストデータすなわちＲＳＶＰ方式のデータが携帯情報端末装置に提供される。そして、携帯情報端末装置により、サーバから提供された分割後のテキストデータが所定単位ずつ切り替えられながら１画面内に順次表示すなわちＲＳＶＰ方式により表示される。
【００１２】
ここで、テキスト分割手段は、テキストを形態素解析し、さらに構文解析して、所定単位に分割するものであることが望ましい。テキストを形態素解析し、さらに構文解析することにより、テキストが自然な発音によって区切られる最小の単位である文節に分割され、この文節単位を基準として例えば連文節単位で、テキストが１画面内にＲＳＶＰ方式により順次表示される。
【００１３】
一方、携帯情報端末装置は、表示中の分割後のテキストデータが、携帯情報端末装置に提供されるテキスト全体のどの位置に相当するものであるかを示す手段を備えたものであることが望ましい。これにより、携帯情報端末装置の操作者は、表示中の分割後のテキストデータが、テキスト全体のどの位置に相当するものであるかを把握することが可能となる。
【００１４】
また、携帯情報端末装置は、表示中の分割後のテキストデータを、前段の分割後のテキストデータまたは後段の分割後のテキストデータに切り替える手段を備えたものであることが望ましい。これにより、順次表示される分割後のテキストデータを先送りしたり、後戻ししたりすることが可能となる。
【００１５】
また、携帯情報端末装置は、表示中の分割後のテキストデータを、任意の分割後のテキストデータに切り替える手段を備えたものであることが望ましい。これにより、順次表示される分割後のテキストデータを任意の分割後のテキストデータへスキップさせることが可能となる。
【００１６】
上記本発明に係る携帯情報端末装置は、サーバから提供された分割後のテキストデータを所定単位ずつ切り替えながら１画面内に順次表示する順次切替表示手段として機能させるためのテキスト高速順次切替表示プログラムの実行により実現可能である。
【００１７】
【発明の実施の形態】
図１は本発明の実施の形態におけるテキスト高速順次切替表示システムの構成を示すブロック図、図２は図１の携帯電話装置の正面図、図３（ａ）はプレーンテキストデータの例を示す図、図３（ｂ）は連文節データの例を示す図である。
【００１８】
図１において、本実施形態におけるテキスト高速順次切替表示システムは、電気通信回線としてのインターネット（図示せず）を介して相互に接続されるサーバ１および携帯情報端末装置としての携帯電話装置２により構成される。携帯電話装置２は、図２に示すように、表示部３、方向ボタン４、数字ボタン５等を備える。
【００１９】
サーバ１は、携帯電話装置２に提供する電子ニュースや電子本などのコンテンツのプレーンテキストのデータを格納するデータベース１１と、携帯電話装置２からのリクエスト（要求）に応じてデータベース１１内のプレーンテキストを所定単位として連文節ごとに分割するテキスト分割手段１２と、分割後のテキストデータ（以下、「連文節データ」と称す。）を要求元の携帯電話装置２へ提供する連文節データ提供手段１３とを備える。
【００２０】
ここで、プレーンテキストデータとは、電子ニュースや電子本などのコンテンツを、改行、字体や文字の大きさ（ポイント）などの情報を含まない単純な文字データのみで形成した「べた打ち」のテキストデータをいう。このプレーンテキストデータは各コンテンツ提供者によって提供され、サーバ１のオペレータまたは各コンテンツ提供者自身によってデータベース１１へ蓄積される。図３（ａ）はデータベース１１へ蓄積されたプレーンテキストデータの例を示している。
【００２１】
テキスト分割手段１２は、形態素解析部１４および構文解析部１５により構成され、プレーンテキストを形態素解析部１４により形態素解析し、さらに構文解析部１５により構文解析することにより、連文節単位の連文節に分割し、ＲＳＶＰ方式の連文節データを生成するものである。連文節とは、文を読む際、自然な発音によって区切られる最小の単位である文節を複数連ねたものである。なお、本実施形態においては、連文節データは単文節単位のデータを含むものとする。
【００２２】
ここで、形態素解析部１４としては、例えば、京都大学情報学研究科知能情報学専攻知能メディア講座言語メディア研究室において開発された日本語形態素解析システムＪＵＭＡＮを用いることができる。また、構文解析部１５としては、同じく京都大学言語メディア研究室において開発された日本語構文解析システムＫＮＰを用いることができる。
【００２３】
図４はテキスト分割手段１２によるプレーンテキストの連文節への分割例を示している。テキスト分割手段１２によって、図４（ａ）に示すプレーンテキストは同図（ｂ）に示すように形態素解析され、続いて同図（ｃ）に示すように構文解析され、同図（ｄ）に示す連文節データが生成される。同図（ｄ）に示すように連文節データは、＜行＞と＜／行＞で示すタグにより囲まれた文節列が一行分の表示内容を示す。また、＜ページ＞と＜／ページ＞で示すタグにより囲まれた文節列は、一ページ内に一度に表示する連文節の最後の文節列を示す。
【００２４】
連文節データ提供手段１３は、テキスト分割手段１２で分割することにより得られたＲＳＶＰ方式の各連文節データをそれぞれ要求元の携帯電話装置２へ提供するものである。ここで、連文節データ提供手段１３は、各連文節データの元のプレーンテキスト内での並び順に関連付けて携帯電話装置２へ提供する。本実施形態においては、連文節データは、図４（ｄ）に示すようにタグにより各行・各ページの表示内容が順番通りに関連付けられた状態で提供される。
【００２５】
一方、携帯電話装置２は、サーバ１への要求に対して提供された各連文節データを取得するデータ取得手段２１と、取得した各連文節データを一時記憶する記憶手段２２と、記憶手段２２の各連文節データを順次切り替えながら表示する順次切替表示手段２３と、表示中の連文節データが元のプレーンテキスト全体のどの位置に相当するものであるかを示す連文節位置表示手段２４と、表示中の連文節データをその並び順で前後の連文節データに切り替える前後表示切替手段２５と、表示中の連文節データを任意の連文節データに切り替える任意表示切替手段２６とを備える。これらの各手段２１〜２６は、それぞれの機能を実現するためのテキスト高速順次切替表示プログラムを携帯電話装置２上において実行することにより実現される。
【００２６】
データ取得手段２１により取得された各連文節データは、図３（ｂ）の（１）〜（１４）に示すように、各連文節データの元のプレーンテキスト内での並び順の通りに記憶手段２２へ一時記憶される。順次切替表示手段２３は、このように記憶手段２２へ一時記憶された各連文節データを所定の時間間隔で順次切り替えながら表示する。ここで、連文節データは、前述のように＜行＞と＜／行＞で示すタグにより囲まれた文節列が一行分の表示内容を示すため、このタグにより囲まれた文節列の後に改行を入れて表示される。また、＜ページ＞と＜／ページ＞で示すタグにより囲まれた文節列は、一ページ内に一度に表示する連文節の最後の文節列を示すため、このタグにより囲まれた文節列の後でページを切り替えて表示される。
【００２７】
なお、この順次切替表示手段２３による表示切り替えの時間間隔は、方向ボタン４の上方向を押下することによって徐々に短く（表示切り替えを速く）することができ、下方向を押下することによって徐々に長く（表示切り替えを遅く）することができる。すなわち、本実施形態における携帯電話装置２では、方向ボタン４の操作によって順次切替表示手段２３による表示切り替えの時間間隔を変更することが可能である。
【００２８】
図５は順次切替表示手段２３による連文節データの切り替え表示の例を示している。図５の（１）〜（１４）に示すように、順次切替表示手段２３は、記憶手段２２へ記憶された各連文節データ（１）〜（１４）を順番通りに切り替えながら携帯電話装置２の表示部３の１画面の中央に連続して表示する。
【００２９】
なお、順次切替表示手段２３による表示形態については、図６に示す設定画面により設定することが可能である。図６の設定画面により、一行の文字数、行数、文字サイズを設定すると、順次切替表示手段２３は、この設定に従って表示部３への表示を行う。
【００３０】
また、順次切替表示手段２３による表示中に携帯電話装置２の方向ボタン４の中央部が押下されると、順次切替表示手段２３はその切り替え表示を一時停止する。そして、この一時停止状態で再度方向ボタン４の中央部が押下されると、順次切替表示手段２３は一時停止状態を解除し、切り替え表示を再開する。
【００３１】
連文節位置表示手段２４は、表示中の連文節データが元のプレーンテキスト全体のどの位置に相当するものであるかを示すバーメータ３１（図５参照。）を、携帯電話装置２の表示部３の下部に表示する。バーメータ３１は、メータ枠３２内でのバー３３の占める割合によって表示中の連文節データの位置を示すものである。
【００３２】
前後表示切替手段２５は、方向ボタン４の操作に基づいて、表示中の連文節データをその並び順で前後の連文節データに切り替えるものである。本実施形態においては、順次切替表示手段２３による切り替え表示の一時停止状態で方向ボタン４の上方向または右方向が押下されると、前後表示切替手段２５は、現在表示中の連文節データの後段（図３（ｂ）の下隣り、図５の右隣り）の連文節データに切り替えて表示部３へ表示する。同様に、順次切替表示手段２３による切り替え表示の一時停止状態で方向ボタン４の下方向または左方向が押下されると、前後表示切替手段２５は、現在表示中の連文節データの前段（図３（ｂ）の上隣り、図５の左隣り）の連文節データに切り替えて表示部３へ表示する。
【００３３】
任意表示切替手段２６は、数字ボタン５の操作に基づいて、表示中の連文節データを任意の連文節データに切り替えるものである。本実施形態においては、数字ボタン５の各数字０〜９が、図３（ｂ）の連文節データの（１）〜（１４）にそれぞれ関連付けられている。任意表示切替手段２６は、数字ボタン５の各数字０〜９が押下された際、現在表示中の連文節データの順序とは関係なく、それぞれ対応する連文節データ（１）〜（１４）に切り替えて表示部３へ表示する。
【００３４】
上記構成のテキスト高速順次切替表示システムによる電子ニュース配信の例について、図７のフロー図に従って説明する。図８は電子ニュース配信のイメージを示す説明図である。
【００３５】
Ｓ１０１：携帯電話装置２のテキスト高速順次切替表示プログラムを起動する。
Ｓ１０２：携帯電話装置２の表示部３へ図８に示すようなニュース選択画面３４が表示される。
Ｓ１０３：ニュース選択画面から携帯電話装置２で読みたいニュースのカテゴリを選択する。
【００３６】
Ｓ１０４：携帯電話装置２からサーバ１へＳ１０３で選択したカテゴリのニュースを要求する。
Ｓ１０５：サーバ１は、携帯電話装置２から要求されたカテゴリのニュースのプレーンテキストをデータベース１１から順次取得し、テキスト分割手段１２により連文節ごとに分割し、連文節データを生成する。
Ｓ１０６：サーバ１は、この生成した連文節データを連文節データ提供手段１３により携帯電話装置２へ提供する。
【００３７】
Ｓ１０７：携帯電話装置２は、このサーバ１から提供された連文節データをデータ取得手段２１により取得し、記憶手段２２へ一時記憶する。
Ｓ１０８：携帯電話装置２の順次切替表示手段２３は、記憶手段２２から連文節データを順次取得し、所定の時間間隔で順次切り替えるＲＳＶＰ方式により表示部３の１画面内へ表示する。
【００３８】
以上のように、本実施形態におけるテキスト高速順次切替表示システムでは、利用者が読みやすいと感じる「意味によるまとまり」を重視した連文節を表示単位として、携帯電話装置２の面積の限られた表示部３の中央に連続して表示するものである。これにより、極限られた表示範囲しか持たない携帯電話装置２であっても、紙媒体のテキストを読むのとほぼ同じ速さでテキストを読むことが可能となり、またテキストの理解度も高くなる。
【００３９】
また、このように携帯電話装置２の小さな表示部３により、移動しながら紙媒体と同じパフォーマンスでテキストを読むことができることによる波及効果は大きく、新聞社や放送局のヘッドラインニュースなどのテキストを携帯電話装置２へ配信することが可能となる。また、表示部３の小さな携帯電話装置２に対しても電子本などのサービスを提供することが可能となる。
【００４０】
なお、本実施形態においては、テキスト分割手段１２により連文節単位に分割したが、句読点、節による分割や、表示一画面分の文節の個数による分割も可能である。また、本実施形態においては、携帯情報端末装置として携帯電話装置２を例にとって説明したが、ＰＤＡなどの他の携帯情報端末装置でも同様の構成により同じ作用効果が得られる。
【００４１】
【発明の効果】
本発明により、以下の効果を奏することができる。
【００４２】
（１）サーバが、携帯情報端末装置に提供するテキストを所定単位ごとに分割し、サーバが、分割後のテキストデータを携帯情報端末装置に提供し、携帯情報端末装置が、サーバから提供された分割後のテキストデータを所定単位ずつ切り替えながら１画面内に順次表示する構成により、携帯情報端末装置の極限られた表示範囲内でＲＳＶＰ方式により分割後のテキストデータが所定単位ずつ切り替えられながら表示されるため、極限られた表示範囲しか持たない携帯情報端末装置でのテキスト読解のパフォーマンスを向上させることができる。
【００４３】
（２）テキストを形態素解析し、さらに構文解析して、所定単位に分割する構成により、テキストが自然な発音によって区切られる最小の単位である文節に分割され、この文節単位を基準としてテキストが１画面内にＲＳＶＰ方式により順次表示されるため、よりテキスト読解のパフォーマンスを向上させることができる。
【００４４】
（３）携帯情報端末装置が、表示中の分割後のテキストデータが携帯情報端末装置に提供されるテキスト全体のどの位置に相当するものであるかを示す手段を備えたことにより、携帯情報端末装置の操作者は、表示中の分割後のテキストデータが、テキスト全体のどの位置に相当するものであるかを把握することが可能となるため、さらにテキスト読解のパフォーマンスを向上させることができる。
【００４５】
（４）携帯情報端末装置が、表示中の分割後のテキストデータを、前段の分割後のテキストデータまたは後段の分割後のテキストデータに切り替える手段を備えたことにより、順次表示される分割後のテキストデータを先送りしたり、後戻ししたりすることが可能となるため、連続して順次表示される分割後のテキストデータを飛ばして読んだり、読み損なった部分に戻って読み直したりすることが可能となる。
【００４６】
（５）携帯情報端末装置が、表示中の分割後のテキストデータを、任意の分割後のテキストデータに切り替える手段を備えたことにより、順次表示される分割後のテキストデータを任意の分割後のテキストデータへスキップさせることが可能となるため、再度読み直したい部分へ瞬時に戻って読み直すことが可能となる。
【図面の簡単な説明】
【図１】本発明の実施の形態におけるテキスト高速順次切替表示システムの構成を示すブロック図である。
【図２】図１の携帯電話装置の正面図である。
【図３】（ａ）はプレーンテキストデータの例を示す図、（ｂ）は連文節データの例を示す図である。
【図４】テキスト分割手段によるプレーンテキストの連文節への分割例を示す図である。
【図５】順次切替表示手段による連文節データの切り替え表示の例を示す図である。
【図６】携帯電話装置への表示形態の設定画面の例を示す図である。
【図７】本実施形態におけるテキスト高速順次切替表示システムによる電子ニュース配信の流れを示すフロー図である。
【図８】電子ニュース配信のイメージを示す説明図である。
【図９】従来の携帯電話装置の表示部への表示例を示す図である。
【符号の説明】
１  サーバ
２  携帯電話装置
３  表示部
４  方向ボタン
５  数字ボタン
１１  データベース
１２  テキスト分割手段
１３  連文節データ提供手段
１４  形態素解析部
１５  構文解析部
２１  データ取得手段
２２  記憶手段
２３  順次切替表示手段
２４  連文節位置表示手段
２５  前後表示切替手段
２６  任意表示切替手段
３１  バーメータ
３２  メータ枠
３３  バー
３４  ニュース選択画面
【図１】
2004220109.tif 000003
【図２】
2004220109.tif 000004
【図３】
2004220109.tif 000005
【図４】
2004220109.tif 000006
【図５】
2004220109.tif 000007
【図６】
2004220109.tif 000008
【図７】
2004220109.tif 000009
【図８】
2004220109.tif 000010
【図９】
2004220109.tif 000011